(57)【要約】 【課題】  除霜ヒータの暴走を未然に防止する。【解決手段】  冷蔵室１１Ａと冷凍室１１Ｂには、個別に冷却ユニット１５Ａ，１５Ｂ、除霜ヒータ３０Ａ，３０Ｂ、並びに庫内温度センサ２９Ａ，２９Ｂ、除霜温度センサ３１Ａ，３１Ｂが装着されて、共通の制御基板３８に接続され、個々に冷却運転、除霜運転及び除霜ヒータ３０を利用した庫内昇温が行われる。庫内温度センサ２９Ａ，２９Ｂの接続間違いをした場合、冷蔵室１１Ａを不必要に昇温するべく、冷蔵室１１Ａ側の除霜ヒータ３０Ａが暴走するおそれがある。そのため運転中に、両庫内温度センサ２９Ａ，２９Ｂの検知温度が監視され、いずれか一方が停止温度以上に上昇したら、両除霜ヒータ３０Ａ，３０Ｂへの通電が遮断される。これにより除霜ヒータ３０Ａ，３０Ｂの暴走が未然に防止され、除霜ヒータ自身が焼損したり、周囲部材が損傷を受けることが防止される。【選択図】  図５
2005134090.tif 000002
【特許請求の範囲】
【請求項１】
本体内に断熱状態で区画形成された複数の貯蔵室と、
各貯蔵室ごとに装着された冷却装置と、
各貯蔵室の庫内温度を検知する庫内温度センサと、
前記各冷却装置における蒸発器若しくはその近傍に配された除霜ヒータと、
前記各冷却装置、前記各除霜ヒータ及び前記各庫内温度センサと接続された単一の制御装置とを備え、
前記各貯蔵室は、前記庫内温度センサの検知温度に基づいて対応する前記冷却装置の運転と停止とが制御されることで、互いに異なる冷却温度に維持されるとともに、
前記各貯蔵室ごとに、前記冷却装置が停止される一方で前記除霜ヒータに通電されることにより除霜運転がなされ、また前記庫内温度センサの検知温度が所定の過冷温度まで下降したら、過剰な冷却状態にあるとして対応する前記除霜ヒータに通電する機能を備えた冷却貯蔵庫において、
前記全庫内温度センサのうちの一つでも、所定の停止温度以上を検知した場合には、前記全除霜ヒータへの通電を停止させるヒータ制御手段が設けられていることを特徴とする冷却貯蔵庫。
【請求項２】
前記各蒸発器若しくはその近傍の温度を検知する除霜温度センサが備えられて前記制御装置と接続され、除霜運転中に前記除霜温度センサの検知温度が所定の除霜完了温度まで上昇したら除霜が完了したと見なされて除霜運転が終了される機能を備えたものであって、
前記ヒータ制御手段が、前記全除霜温度センサのうちの一つでも、所定の停止温度以上を検知した場合には、前記全除霜ヒータへの通電を停止させる機能を有していることを特徴とする請求項１記載の冷却貯蔵庫。
【請求項３】
前記庫内温度センサに係る停止温度と、前記除霜温度センサに係る停止温度とが同一温度に設定されていることを特徴とする請求項２記載の冷却貯蔵庫。
【請求項４】
前記除霜ヒータには周囲温度が所定以上に達すると切断される温度ヒューズが装備されており、前記停止温度は、前記温度ヒューズが切断に至る前の温度値に設定されていることを特徴とする請求項１ないし請求項３のいずれかに記載の冷却貯蔵庫。
【発明の詳細な説明】
【技術分野】
【０００１】
本発明は、複数の貯蔵室が個別に備えられた冷却装置により互いに異なる冷却温度に冷却される形式の冷却貯蔵庫に関する。
【背景技術】
【０００２】
業務用の冷凍冷蔵庫では、断熱箱体からなる本体内が断熱壁で仕切られて冷凍室と冷蔵室とに分けられ、冷凍室は−２０℃程度、冷蔵室は５℃程度にそれぞれ冷却される。ここで例えば家庭用の冷凍冷蔵庫では、１個の冷却ユニットを備え、冷凍室を循環する冷気の一部を冷蔵室に分配するといった冷却形式が採られるのであるが、業務用の冷凍冷蔵庫は容積が大きく、特に冷蔵室の容積が大きいと効率の悪さが顕著となるため、冷蔵用と冷凍用とに冷却ユニットが個々に搭載される（例えば、特許文献１参照）。  
一方、この種の業務用冷凍冷蔵庫では、ヒータを用いて除霜運転が行われるようになっており、機種によってはさらに、冷凍室または冷蔵室が過剰に冷却された場合に、上記の除霜ヒータを用いて庫内温度を上昇回復させる機能を備えたものもある。
【０００３】
上記機能を備えた冷凍冷蔵庫をより具体的に説明すると、図７に示すように、冷蔵室１Ａと冷凍室１Ｂには個別に冷却ユニット２Ａ，２Ｂが装備される一方、両室１Ａ，１Ｂには庫内温度を検知する庫内温度センサ３Ａ，３Ｂが配される。また、各冷却ユニット２Ａ，２Ｂの蒸発器には除霜ヒータ４Ａ，４Ｂが装着されるとともに、各蒸発器には、それぞれ蒸発器の温度を検知する除霜温度センサ５Ａ，５Ｂが取り付けられる。また、いずれか一方の冷却ユニットに設けられた電装箱内には、マイクロコンピュータ等を搭載した共通の制御基板６が装備され、この制御基板６の入力側に、両庫内温度センサ３Ａ，３Ｂと両除霜温度センサ５Ａ，５Ｂとが、出力側に、両冷却ユニット２Ａ，２Ｂ（圧縮機）と両除霜ヒータ４Ａ，４Ｂとが接続されている。
【０００４】
そして、冷蔵室１Ａと冷凍室１Ｂのそれぞれにおいて、庫内温度センサ３Ａ，３Ｂで検知された庫内温度が予め定められた設定温度よりも高いか低いかによって、対応する冷却ユニット２Ａ，２Ｂの運転と停止とが制御され、各室１Ａ，１Ｂがほぼ設定温度に維持される。一方、両室１Ａ，１Ｂにおいてそれぞれ、２４時間タイマやスイッチ操作によって適宜に除霜運転が行われ、これは冷却ユニット２Ａ，２Ｂが停止された状態で除霜ヒータ４Ａ，４Ｂに通電し、蒸発器を加熱することで行われる。除霜運転中に、除霜温度センサ５Ａ，５Ｂの検知温度が所定の除霜完了温度（例えば冷蔵室１Ａの場合は２０℃、冷凍室１Ｂの場合は３５℃）まで上昇したら、除霜が完了したと見なされて除霜運転が終了する。  
また同じく両室１Ａ，１Ｂにおいて、庫内温度センサ３Ａ，３Ｂの検知温度が所定の過冷温度（例えば各設定温度−５Ｋ）まで下降したら、過剰な冷却状態にあるとして、対応する除霜ヒータ４Ａ，４Ｂに通電して庫内温度を上昇させ、過冷状態を脱したら、除霜ヒータ４Ａ，４Ｂへの通電を停止するようになっている。
【特許文献１】実公平８−７３３７号公報
【発明の開示】
【発明が解決しようとする課題】
【０００５】
上記のものは、冷却ユニット２Ａ，２Ｂや除霜ヒータ４Ａ，４Ｂが冷蔵室１Ａと冷凍室１Ｂとに個別に配されているのに対し、制御基板６には共通のものを装備して配線やその他の付帯構造の簡略化等を図っているが、それが故に以下のような問題を起こす可能性がある。例えば制御基板６に対するセンサの誤接続が挙げられ、工場出荷時はともかく、出荷後の修理時等にはその可能性は否定できない。  
一例を挙げると、図７の破線の矢線に示すように、冷蔵室１Ａに装備された庫内温度センサ３Ａを、制御基板６における冷凍室１Ｂ側の庫内温度センサ３Ｂの入力ポート７Ｂに、逆に冷凍室１Ｂに装備された庫内温度センサ３Ｂを冷蔵室１Ａ側の庫内温度センサ３Ａの入力ポート７Ａに接続した場合がある。
【０００６】
このような誤接続を起こすと、冷却運転を行っている際、冷凍室１Ｂ側では、反対の冷蔵室１Ａ側の庫内温度が入力されて、それを設定温度に下げるべく冷凍室１Ｂ側の冷却ユニット２Ｂが運転されるが、冷凍室１Ｂの実際の庫内温度は制御に反映されないから、同冷却ユニット２Ｂの運転が継続され、冷凍室１Ｂ内は設定温度を下回ってどんどん冷却される。  
逆に冷蔵室１Ａ側では、冷凍室１Ｂ側の庫内温度が入力され、上記のように同庫内温度は冷却の一途であるため、冷蔵室１Ａ側が過剰な冷却状態にあると見なされ、それを修復するべく冷蔵室１Ａ側の除霜ヒータ４Ａに通電される。ところが、検知されているのは冷凍室１Ｂの庫内温度であって、上記のようにどんどん低下している状態にあるため、冷蔵室１Ａ側が昇温されたとは認められずに、除霜ヒータ４Ａへの通電がひたすら継続される、いゆわるヒータが暴走する事態を招く。その結果、ヒータ自身や周辺部材が損傷するおそれがある。
【０００７】
なお、センサの接続が正規に行われていたとしても、故障等でセンサから正確な情報が得られない場合も、上記のようなヒータの暴走が起きるおそれがある。そのため機種によっては、除霜ヒータ４Ａ，４Ｂへの通電線に温度ヒューズが介設され、温度ヒューズの周囲温度が所定値まで上がるとこれが切れることで、除霜ヒータ４Ａ，４Ｂを保護する手段を講じたものもあるが、それにしても、再運転するには新たな温度ヒューズと交換する必要がある。  
本発明は上記のような事情に基づいて完成されたものであって、その目的は、除霜ヒータの暴走を未然に防止するところにある。
【課題を解決するための手段】
【０００８】
上記の目的を達成するための手段として、請求項１の発明は、本体内に断熱状態で区画形成された複数の貯蔵室と、各貯蔵室ごとに装着された冷却装置と、各貯蔵室の庫内温度を検知する庫内温度センサと、前記各冷却装置における蒸発器若しくはその近傍に配された除霜ヒータと、前記各冷却装置、前記各除霜ヒータ及び前記各庫内温度センサと接続された単一の制御装置とを備え、前記各貯蔵室は、前記庫内温度センサの検知温度に基づいて対応する前記冷却装置の運転と停止とが制御されることで、互いに異なる冷却温度に維持されるとともに、前記各貯蔵室ごとに、前記冷却装置が停止される一方で前記除霜ヒータに通電されることにより除霜運転がなされ、また前記庫内温度センサの検知温度が所定の過冷温度まで下降したら、過剰な冷却状態にあるとして対応する前記除霜ヒータに通電する機能を備えた冷却貯蔵庫において、前記全庫内温度センサのうちの一つでも、所定の停止温度以上を検知した場合には、前記全除霜ヒータへの通電を停止させるヒータ制御手段が設けられている構成としたところに特徴を有する。
【０００９】
請求項２の発明は、請求項１に記載のものにおいて、前記各蒸発器若しくはその近傍の温度を検知する除霜温度センサが備えられて前記制御装置と接続され、除霜運転中に前記除霜温度センサの検知温度が所定の除霜完了温度まで上昇したら除霜が完了したと見なされて除霜運転が終了される機能を備えたものであって、前記ヒータ制御手段が、前記全除霜温度センサのうちの一つでも、所定の停止温度以上を検知した場合には、前記全除霜ヒータへの通電を停止させる機能を有しているところに特徴を有する。
【００１０】
請求項３の発明は、請求項２に記載のものにおいて、前記庫内温度センサに係る停止温度と、前記除霜温度センサに係る停止温度とが同一温度に設定されているところに特徴を有する。  
請求項４の発明は、請求項１ないし請求項３のいずれかに記載のものにおいて、前記除霜ヒータには周囲温度が所定以上に達すると切断される温度ヒューズが装備されており、前記停止温度は、前記温度ヒューズが切断に至る前の温度値に設定されているところに特徴を有する。
【発明の効果】
【００１１】
＜請求項１の発明＞
運転中に、全庫内温度センサの検知温度が監視され、いずれか一つの検知温度でも停止温度以上となったら、全除霜ヒータへの通電が遮断される。言い換えると、一つの庫内温度でも、通常取り得るよりも高い停止温度に達したら、センサの誤接続等に起因して除霜ヒータへの通電時間が不必要に長くなっていると見なされて強制的に通電が停止され、除霜ヒータの暴走が未然に防止される。もって除霜ヒータ自身が焼損したり、周囲部材が損傷を受けることが防止される。
【００１２】
＜請求項２の発明＞
運転中に、全除霜温度センサの検知温度が監視され、いずれか一つの検知温度でも停止温度以上となったら、全除霜ヒータへの通電が遮断される。すなわち蒸発器若しくはその近傍の温度が、一つでも通常取り得るよりも高い停止温度に達したら、同様にセンサの誤接続等に起因して除霜ヒータへの通電時間が不必要に長くなっていると見なされて強制的に通電が停止され、除霜ヒータの暴走が未然に防止される。  
何らかの事情により、庫内温度センサから正規に検知温度が得られなかったような場合に、除霜ヒータの暴走の防止を保証する上からも有効である。
【００１３】
＜請求項３の発明＞
庫内温度センサに係る停止温度と、除霜温度センサに係る停止温度とを同一温度としたから、制御系統が簡単となる。  
＜請求項４の発明＞
除霜ヒータに温度ヒューズが装備されている場合、それが切断する前に除霜ヒータへの通電が停止される。温度ヒューズを交換することなく再運転できる。
【発明を実施するための最良の形態】
【００１４】
以下、本発明の一実施形態を図１ないし図５によって説明する。この実施形態では、本発明を業務用の冷凍冷蔵庫に適用した場合を例示している。  
冷凍冷蔵庫は例えば４ドアタイプであって、図１に示すように、前面が開口された断熱箱体からなる本体１０を備えており、前面開口が十字形に仕切られて４個の出入口が形成され、正面から見た右上部の出入口と対応した略１／４の内部空間が、断熱性の仕切壁で仕切られて冷凍室１１Ｂとされ、残りの略３／４の領域が冷蔵室１１Ａとされている（図２参照）。各出入口にはそれぞれ断熱性の扉１２が揺動開閉可能に装着されている。
【００１５】
本体１０の上面には、回りにパネル１３Ａが立てられる等により機械室１３が構成されている。機械室１３の底面となる本体１０の上面には、図２に示すように、冷蔵室１１Ａと冷凍室１１Ｂのそれぞれの天井壁に相当する位置に開口部１４が形成され、各開口部１４に冷却ユニット１５が個別に装着されている。  
なお以下の説明において、冷蔵室１１Ａ側と冷凍室１１Ｂ側とは共通した構造となる場合が多く、したがって構成部材についても同一機能を有するものが使用されるが、共通した構成部材については同一符号を付し、特に冷蔵室１１Ａ側と冷凍室１１Ｂ側とを区別したい場合には、各符号に添え字「Ａ」または「Ｂ」を付すことにする。
【００１６】
冷却ユニット１５は、圧縮機１６、凝縮器ファン１８付きの凝縮器１７、膨張弁（図示せず）及び蒸発器２０を冷媒配管で循環接続して冷凍回路を構成したものであり、上記の開口部１４を塞いで載せられる断熱性のユニット台２１が備えられて、冷却ユニット１５の構成部材のうちの蒸発器２０がユニット台２１の下面側に、他の構成部材が上面側に取り付けられている。  
一方、冷蔵室１１Ａと冷凍室１１Ｂの天井部には、冷却ダクトを兼ねたドレンパン２３が奥側に向けて下り勾配で張設され、ユニット台２１との間に蒸発器室２４が形成されている。ドレンパン２３の上部側には吸込口２５が設けられ、冷却ファン２６が装備されているとともに、下部側には吐出口２７が形成されている。
【００１７】
冷蔵室１１Ａと冷凍室１１Ｂとには、それぞれ庫内温度を検知する庫内温度センサ２９が、例えば吸込口２５の近傍に設けられている。  
また、各蒸発器２０の下面側には、蒸発器２０を加熱して除霜するための除霜ヒータ３０が装着されているとともに、上部側には、蒸発器２０の温度を検知して除霜が完了したか否かを判断するための除霜温度センサ３１が取り付けられている。  
機械室１３の前面には、冷蔵室１１Ａと冷凍室１１Ｂの設定温度等を個別に設定可能な操作盤３３が設けられており、またこの操作盤３３には表示部が設けられ、冷蔵室１１Ａと冷凍室１１Ｂの庫内温度や各種警報等が表示できるようになっている。
【００１８】
冷却運転と除霜運転とは所定のプログラムに基づいて実行されるようになっている。そのため、一方の冷却ユニット１５（例えば冷凍室１１Ｂ側の冷却ユニット１５Ｂ）のユニット台２１には電装箱３５が設置され、その中に、図３に示すように、上記プログラム等を格納したマイクロコンピュータ３７を搭載した制御基板３８が装備されている。  
制御基板３８の入力部には、冷蔵室１１Ａ側と冷凍室１１Ｂ側のそれぞれの庫内温度センサ２９Ａ，２９Ｂと除霜温度センサ３１Ａ，３１Ｂとが接続されている。一方、出力部には、冷蔵室１１Ａ側と冷凍室１１Ｂ側のそれぞれの冷却ユニット１５Ａ，１５Ｂ（圧縮機１６Ａ，１６Ｂ）、冷却ファン２６Ａ，２６Ｂ及び除霜ヒータ３０Ａ，３０Ｂが接続されている。  
また、制御基板３８は操作盤３３とも接続されている。
【００１９】
基本的な作動としては、冷却ユニット１５（圧縮機１６）と冷却ファン２６とが駆動されると、図２の矢線に示すように、冷蔵室１１Ａ（冷凍室１１Ｂ）内の空気が吸込口２５から蒸発器室２４内に吸引され、蒸発器２０を通過する間に熱交換により生成された冷気が、吐出口２７から冷蔵室１１Ａ（冷凍室１１Ｂ）に吹き出されるといったように循環されることで、冷蔵室１１Ａ（冷凍室１１Ｂ）内が冷却される。  
この間、庫内温度センサ２９で検知された庫内温度が予め定められた設定温度よりも高いか低いかによって、対応する冷却ユニット１５（圧縮機１６）と冷却ファン２６の運転と停止とが制御され、各室１１Ａ，１１Ｂがほぼ設定温度に維持される。
【００２０】
また、冷蔵室１１Ａと冷凍室１１Ｂとにおいて、それぞれ２４時間タイマや、上記の操作盤３３に設けられた除霜スイッチの操作によって適宜に除霜運転が行われる。これは冷却ユニット１５（圧縮機１６）及び冷却ファン２６が停止された状態で除霜ヒータ３０に通電され、蒸発器２０を加熱することで行われる。除霜運転中に、除霜温度センサ３１の検知温度が所定の除霜完了温度（例えば冷蔵室１１Ａの場合は２０℃、冷凍室１１Ｂの場合は３５℃）まで上昇したら、除霜が完了したと見なされて除霜運転が終了される。  
加えて冷蔵室１１Ａと冷凍室１１Ｂにおいて、庫内温度センサ２９の検知温度が所定の過冷温度（例えば各設定温度−５Ｋ）まで下降したら、過剰な冷却状態にあるとして、対応する側の除霜ヒータ３０に通電して庫内温度を上昇させる（庫内昇温）。過冷状態を脱したら、除霜ヒータ３０への通電を停止するようになっている。
【００２１】
さてこの実施形態では、庫内温度センサ２９の誤接続に伴う除霜ヒータ３０の暴走を防止すべく対策が講じられている。  
そのため、図４に示すようなヒータ制御を行うプログラムが追加されている。端的には、冷凍冷蔵庫が稼働されると、両庫内温度センサ２９Ａ，２９Ｂの検知温度、正確には庫内温度センサ２９Ａ，２９Ｂの両入力ポート４０Ａ，４０Ｂに入力された検知温度が取り込まれ、いずれか一方の検知温度が、予め定められた停止温度以上に上昇したら、両除霜ヒータ３０Ａ，３０Ｂへの通電を停止するようになっている。
【００２２】
ここで本実施形態の停止温度は、「４５℃」に設定されている。この「４５℃」は一つには、除霜運転を含めて正規に運転されている場合において、冷蔵室１１Ａまたは冷凍室１１Ｂが取り得る庫内温度よりも高いことを示している。  
一方実験において、除霜ヒータ３０に連続通電し、焼損するに至った場合の庫内温度を測定したところ、５０℃以上であることが確認された。したがって「４５℃」は、除霜ヒータ３０が焼損するに至る前の庫内温度を意味している。  
また、この種の除霜ヒータ３０には、周囲温度が所定以上に達すると切断される温度ヒューズが装備され、除霜ヒータ３０が焼損することから保護しているが、庫内温度「４５℃」は、温度ヒューズが切断する前に留められる温度ともなっている。
【００２３】
続いて、本実施形態の作動を説明する。  
例えば、冷凍冷蔵庫についてオーバーホールに近いメンテナンスを行ったり、設置替えを行うとき等には、電気配線を一旦外し、改めて接続し直す場合があり、そのとき接続を誤ることがあり得る。一例を挙げると、図５に示すように、冷蔵室１１Ａに装備された庫内温度センサ２９Ａを、制御基板３８における冷凍室１１Ｂ側の庫内温度センサ２９Ｂの入力ポート４０Ｂに、逆に冷凍室１１Ｂに装備された庫内温度センサ２９Ｂを、冷蔵室１１Ａ側の庫内温度センサ２９Ａの入力ポート４０Ａに接続した場合がある。
【００２４】
このような誤接続を起こすと、冷却運転を行っている際、冷凍室１１Ｂ側では、反対の冷蔵室１１Ａ側の庫内温度が入力されて、それを設定温度に下げるべく冷凍室１１Ｂ側の冷却ユニット１５Ｂ（圧縮機１６Ｂ）と冷却ファン２６Ｂが運転されるが、冷凍室１１Ｂの実際の庫内温度は制御に反映されないから、同冷却ユニット１５Ｂと冷却ファン２６Ｂの運転が継続され、冷凍室１１Ｂ内は設定温度を下回ってどんどん冷却される。  
逆に冷蔵室１１Ａ側では、冷凍室１１Ｂ側の庫内温度が入力され、上記のように同庫内温度は冷却の一途であるため、冷蔵室１１Ａ側が過剰な冷却状態にあると見なされ、それを修復するべく冷蔵室１１Ａ側の除霜ヒータ３０Ａに通電される。ところが、検知されているのは冷凍室１１Ｂの庫内温度であって、上記のようにどんどん低下している状態にあるため、冷蔵室１１Ａ側が昇温されたとは認められずに、除霜ヒータ３０Ａへの通電が継続される。そのまま放置されれば、いゆわる除霜ヒータ３０Ａの暴走に繋がる。
【００２５】
そこでこの実施形態では、当該冷凍冷蔵庫が稼働されたのち、図４に示すように、両庫内温度センサ２９Ａ，２９Ｂの検知温度が見られており、上記のように除霜ヒータ３０Ａの通電が継続されると、冷蔵室１１Ａ側の庫内温度が次第に上昇し、すなわち庫内温度センサ２９Ａの検知温度が上昇し、その検知温度が停止温度である「４５℃」に達すると、両除霜ヒータ３０、実際には通電状態にあった冷蔵室１１Ａ側の除霜ヒータ３０Ａへの通電が停止される。そのため、除霜ヒータ３０Ａが焼損したり、周囲部材が損傷を受けることがない。また、除霜ヒータ３０Ａに装備された温度ヒューズが切れる前に、除霜ヒータ３０Ａへの通電が止められることになる。
【００２６】
上記のように除霜ヒータ３０Ａへの通電が停止されたのちも運転は継続される。その間、冷蔵室１１Ａ側での昇温は停止されるが、冷凍室１１Ｂ側ではさらに冷却が続く。ここで、この種の冷凍冷蔵庫では通常、冷蔵室１１Ａ、冷凍室１１Ｂとも、それぞれの庫内温度が所定温度まで下がったら、過低温警報を出すようにしている。そのためここでは、冷凍室１１Ｂ側の検知温度がさらに低下して、これが冷蔵室１１Ａ側の庫内温度として取り込まれ、ついには冷蔵室１１Ａ側の庫内温度が過低温となったと見なされて警報が出される。これを以てユーザーは、少なくとも何らかのトラブルがあったことを知ることができる。  
なお、上記のように除霜ヒータ３０を強制的に停止する信号を利用して、誤接続がある旨の警報を直接に出すようにしてもよい。
【００２７】
このように本実施形態によれば、両庫内温度センサ２９Ａ，２９Ｂの検知温度を監視していて、いずれか一方でも停止温度以上となったら両除霜ヒータ３０Ａ，３０Ｂへの通電を遮断するといった簡単な手段によって、除霜ヒータ３０が暴走することが未然に防止される。そのため、除霜ヒータ３０自身が焼損したり、周囲部材が損傷を受けることを防止できる。また、除霜ヒータ３０に装備された温度ヒューズの切断も回避でき、温度ヒューズは交換することなく再運転できる。
【００２８】
＜実施形態２＞
次に、本発明の実施形態２を図６によって説明する。この実施形態２では、ヒータ制御のプログラムがさらに改良され、冷凍冷蔵庫が稼働されると、両庫内温度センサ２９Ａ，２９Ｂの検知温度に加えて、両除霜温度センサ３１Ａ，３１Ｂの検知温度が取り込まれ、いずれか一つの検知温度が、予め定められた停止温度（４５℃）以上に上昇したら、両除霜ヒータ３０Ａ，３０Ｂへの通電を停止するようになっている。
【００２９】
既述したように、除霜温度センサ３１の検知温度すなわち蒸発器２０の温度は、それが除霜完了温度（冷蔵室１１Ａでは２０℃、冷凍室１１Ｂでは３５℃）になると、除霜が終了したと見なすことに用いられるのであるが、その検知温度（蒸発器２０の温度）が「４５℃」といった除霜完了温度よりも高い温度を取った場合は、除霜運転以外、この場合は過冷状態から回復するべく除霜ヒータ３０に通電されている場合に、これが暴走し掛かっていると見なされ、直ちに両除霜ヒータ３０、実際には通電状態にあった冷蔵室１１Ａ側の除霜ヒータ３０Ａへの通電が停止される。
【００３０】
除霜ヒータ３０に対して必要以上に継続して通電された場合は、同じ部屋では、通常蒸発器２０の温度の方が庫内温度よりも高くなるから、蒸発器２０の温度が庫内温度よりも先に停止温度に達し、それに基づいて除霜ヒータ３０への通電が停止される。庫内温度に依る場合よりも早いタイミングで除霜ヒータ３０への通電が停止されることで、除霜ヒータ３０の焼損や、周囲部材の損傷がより確実に防がれる。もちろん温度ヒューズの切断も防止される。  
また何らかの事情により、庫内温度センサ２９から正規に検知温度が得られなかったような場合に、除霜ヒータ３０の暴走の防止を保証する上からも有効である。  
なお、除霜温度センサ３１に係る停止温度は、庫内温度センサ２９に係る停止温度とは別の値に設定して、別々に見るようにしてもよい。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）機種によっては、ダクトを兼用したドレンパンにダクトヒータを備え、除霜運転や庫内昇温時に、ダクトヒータを除霜ヒータと同期して運転するものもあるが、このような形式のものにも本発明は同様に適用できる。  
（２）個別の冷却ユニットで互いに異なった冷却温度に冷却される貯蔵室を３室以上備えたものにも、本発明は適用可能である。
【００３２】
（３）庫内温度センサに係る停止温度と、除霜温度センサに係る停止温度に適用された「４５℃」はあくまでも一例であって、除霜ヒータの種類やその他の条件に応じて、最適の温度値を設定すればよい。  
（４）除霜終了をタイマによる時間経過で制御する形式のものもあるが、そのようなものにも本発明は適用可能である。
【図面の簡単な説明】
【００３３】
【図１】本発明の実施形態１に係る冷凍冷蔵庫の外観斜視図
【図２】冷却ユニットの設置部分の断面図
【図３】運転制御機構のブロック図
【図４】ヒータ制御の作動を示すフローチャート
【図５】誤接続をした場合の運転制御機構のブロック図
【図６】実施形態２に係るヒータ制御の作動を示すフローチャート
【図７】従来例の運転制御機構のブロック図
【符号の説明】
【００３４】
１０…本体  １１Ａ…冷蔵室（貯蔵室）  １１Ｂ…冷凍室（貯蔵室）  １５，１５Ａ，１５Ｂ…冷却ユニット（冷却装置）  １６，１６Ａ，１６Ｂ…圧縮機  ２０…蒸発器  ２９，２９Ａ，２９Ｂ…庫内温度センサ  ３０，３０Ａ，３０Ｂ…除霜ヒータ  ３１，３１Ａ，３１Ｂ…除霜温度センサ  ３８…制御基板（制御装置）  ４０Ａ，４０Ｂ…入力ポート
【図１】
2005134090.tif 000003
【図２】
2005134090.tif 000004
【図３】
2005134090.tif 000005
【図４】
2005134090.tif 000006
【図５】
2005134090.tif 000007
【図６】
2005134090.tif 000008
【図７】
2005134090.tif 000009